(57)【要約】【課題】この発明は、観光地を訪れた顧客に、観光を終えた後も、観光地の情報をリアルタイムに提供できるように改良された観光地情報の提供方法を提供することを主要な目的とする。【解決手段】ネットワークに接続されたある地域を紹介するウエブサイトにアクセスするプログラムが組み込まれた携帯機器用アタッチメント１ａ，１ｂ，１ｃを地域内にある店舗に配布する。店舗を訪れた顧客に携帯機器用アタッチメント１ａ，１ｂ，１ｃを引き渡す。ネットワークとデータ通信可能な顧客の携帯機器に携帯機器用アタッチメント１ａ，１ｂ，１ｃを接続することにより、プログラムを実行させ、顧客の携帯機器の画面にウエブサイトを表示させる。【選択図】  図１
2004193838.tif 000002
【特許請求の範囲】
【請求項１】
ネットワークに接続されたある地域を紹介するウエブサイトにアクセスするプログラムが組み込まれた携帯機器用アタッチメントを前記地域内にある店舗に配布し、
前記店舗を訪れた顧客に前記携帯機器用アタッチメントを引き渡し、
前記ネットワークとデータ通信可能な前記顧客の携帯機器に前記携帯機器用アタッチメントを接続することにより、前記プログラムを実行させ、前記顧客の携帯機器の画面に前記ウエブサイトを表示させることができるようにした、観光地情報の提供方法。
【請求項２】
前記ウエブサイトを構築し、かつ前記ウエブサイトにアクセスするプログラムが組み込まれた前記携帯機器用アタッチメントを作成し、これらを前記地域内にある前記店舗に引き渡す、請求項１に記載の観光地情報の提供方法。
【請求項３】
ネットワークに接続されたある地域のウエブサイトにアクセスするプログラムが組み込まれた携帯機器用アタッチメントであり、
前記ネットワークとデータ通信可能な携帯機器に前記携帯機器用アタッチメントを接続することにより、前記プログラムが実行され、前記携帯機器の画面に前記ウエブサイトが表示されるようにした、メモリアルスティック。
【請求項４】
前記携帯機器用アタッチメントはキーホルダ状に形成されている、請求項３に記載のメモリアルスティック。
【発明の詳細な説明】
【０００１】
【発明の属する技術分野】
この発明は、一般に観光地情報の提供方法に関するものであり、より特定的には、携帯機器およびネットワークを利用した観光地情報の提供方法に関する。この発明は、また観光地を紹介するウエブサイトにアクセスするプログラムが組み込まれた携帯機器用アタッチメント（以下、メモリアルスティックと呼ぶこととする）に関する。
【０００２】
【従来の技術】
観光地を訪れた観光客は、その観光の思い出を残すため、または、友人、知人に見聞したことを伝えるために、観光地において観光地みやげ品を購入する。また、観光客向けの店舗にとって、観光客が再度当地を訪れたくなるような観光地みやげ品や観光情報を提供することは、顧客確保のため重要である。このような要求を満たす観光地みやげ品として、名所旧跡の写真が含まれた絵葉書やガイドマップ、観光地の特徴を表す置物、アクセサリー、菓子、特産品などがある。
【０００３】
しかしながら、みやげ品である置物を見ただけでは観光地の景色は伝わらないように、これらの観光地みやげ品から得られる情報は限られていた。また、観光地の店舗には、祭り、イベントなどの詳しい情報をリアルタイムで顧客に広告をしたいという要望もあった。
【０００４】
一方、地域情報を顧客に伝える方法についての提案は、種々されているが（例えば、特許文献１参照）、上述のような要望を満たすものではなかった。
【０００５】
【特許文献１】
特開２０００―０６３４７２公報
【０００６】
【発明が解決しようとする課題】
それゆえに、この発明の目的は、上記のような問題点を解決するためになされたもので、観光地を訪れた顧客に、観光を終えた後も、観光地の情報をリアルタイムに提供できるように改良された観光地情報の提供方法を提供することにある。
【０００７】
この発明の他の目的は、観光地を訪れた顧客が、観光を終えた後も、手軽に観光地情報を取得できるように改良された観光地情報の提供方法を提供することにある。
【０００８】
この発明のさらに他の目的は、観光地を訪れた顧客が、友人や知人にその観光地について、手軽に、紹介できるように改良された観光地情報の提供方法を提供することにある。
【０００９】
この発明のさらに他の目的は、そのような方法に用いられるメモリアルスティックを提供することにある。
【００１０】
【課題を解決するための手段】
この発明に従う観光地情報の提供方法においては、まず、ネットワークに接続されたある観光地を紹介するウエブサイトにアクセスするプログラムが組み込まれた携帯機器用アタッチメントを上記観光地内にある店舗に配布する。次に、上記店舗を訪れた顧客に上記携帯機器用アタッチメントを引き渡す。そして、上記ネットワークとデータ通信可能な上記顧客の携帯機器に上記携帯機器用アタッチメントを接続することにより、上記プログラムを実行させ、上記顧客の携帯機器の画面に上記ウエブサイトを表示させることができるようにしている。
【００１１】
この発明によれば、顧客は自分の携帯機器に上記携帯機器用アタッチメントを接続するという動作だけで、訪れた観光地のウエブサイトを表示させることができるので、ウエブサイトのＵＲＬを指定するという煩雑な手続きを経ることなく、訪れた観光地の情報を手軽に得ることができる。
【００１２】
また、ウエブサイトにより、情報が提供されるので、ウエブサイトの内容がリアルタイムに更新されることによって、顧客は、過去に訪れた観光地の最新情報を得ることができる。
【００１３】
この発明の好ましい実施態様においては、上記ウエブサイトを構築し、さらに、このウエブサイトにアクセスするプログラムが組み込まれた上記携帯機器用アタッチメントを作成する。そして、上記ウエブサイトの構築という役務と上記携帯機器用アタッチメントという商品を上記店舗に引き渡す。
【００１４】
この発明によれば、複数の店舗に、ウエブサイト構築役務と携帯機器用アタッチメントを提供できるので、コストを低減することができる。また、ウエブサイトを１箇所で管理できるので、更新が容易であり、各店舗が各々でウエブサイトを管理する必要はない。
【００１５】
この発明に従うメモリアルスティックは、ネットワークに接続されたある観光地のウエブサイトにアクセスするプログラムが組み込まれた携帯機器用アタッチメントである。上記ネットワークにアクセス可能な携帯機器に上記アタッチメントを接続すると、上記プログラムが実行され、上記携帯機器の画面に上記ウエブサイトが表示される。
【００１６】
この発明によれば、顧客は、上記メモリアルスティックを購入し、携帯機器に接続するだけでいつでも、過去に訪れた観光地の情報を見ることができるので、その観光地の情報を観光の思い出として、手元に残すことができる。また、友人、知人に上記メモリアルスティックを贈ることにより、見聞したことを効果的に伝えることができる。
【００１７】
この発明の好ましい実施態様においては、上記メモリアルスティックはキーホルダ状に形成されている。
【００１８】
このように形成されることにより、上記メモリアルスティックをキーホルダ、携帯機器のストラップ、アクセサリーとして使用することもできる。
【００１９】
【発明の実施の形態】
以下、この発明の実施の形態を、図を用いて説明する。
【００２０】
図１を参照して、観光地Ａを紹介するウエブサイトにアクセスするプログラムが組み込まれた携帯機器用アタッチメント、すなわち後述する３種のメモリアルスティック１ａ、１ｂ、１ｃを用意する。メモリアルスティックを提供する業者（以下、提供業者という）は、このメモリアルスティック１ａ、１ｂ、１ｃを観光地Ａ内の各店舗ａ店、ｂ店、ｃ店…に配布する。
【００２１】
３種のメモリアルスティック１ａ、１ｂ、１ｃは、それぞれ、ｉ−ｍｏｄｅ（登録商標）、ＥＺ−ｗｅｂ、Ｊ−ｓｋｙの携帯機器に対して動作するようになっている。組み込まれるプログラムが行う処理の内容は、３種とも同じである。メモリアルスティックの種類は３種に限られない。他に対応可能な携帯機器の種類が増えれば、それに対応するメモリアルスティックの種類を加えてもよい。
【００２２】
３種のメモリアルスティック１ａ、１ｂ、１ｃのそれぞれの配布台数は、ｉ−ｍｏｄｅ（登録商標）、ＥＺ−ｗｅｂ、Ｊ−ｓｋｙの携帯機器それぞれの販売台数に応じて決められ得るので、統計的に予測が可能である。
【００２３】
各店舗ａ店、ｂ店、ｃ店に配布されたメモリアルスティック１ａ、１ｂ、１ｃは、各店舗でみやげ品として販売されてもよい。その際、メモリアルスティックを携帯機器に接続すれば、観光地Ａを紹介するウエブサイトが自動的に表示されることを顧客にアピールするとよい。
【００２４】
顧客は、メモリアルスティックが欲しい場合は、自分の持っている携帯機器に対応したメモリアルスティックを購入する。メモリアルスティックを友人、知人にみやげとして贈りたい場合は、その友人、知人の持っている携帯機器に対応したメモリアルスティックを購入する。
【００２５】
観光地Ｂ、Ｃについても同様である。
【００２６】
次に、メモリアルスティックについて説明する。
【００２７】
メモリアルスティックは、少なくとも、プログラムを記憶するための記憶装置を含んでいる。この記憶装置に上記ウエブサイトに接続するためのプログラムが保存される。
【００２８】
メモリアルスティックに、バッテリー、プロセッサを搭載させてもよい。
【００２９】
メモリアルスティックの大きさは、例えば４０ｍｍ×２３ｍｍ×１０ｍｍである。重さは、例えば、１０円玉ほどの重さである。
【００３０】
図２を参照して、メモリアルスティック１ａ、１ｂ、１ｃは、携帯機器の下部にある端子に接続するための接続端子１１を有する。
【００３１】
観光地Ａのメモリアルスティック１ａ、１ｂ、１ｃの外観は、観光地Ａが想起されるようにデザインされている。例えば、富士五湖の観光みやげ用のメモリアルスティック１ａ、１ｂ、１ｃだと、「富士五湖観光記念」の文字が表面に書かれていてもよい。また、メモリアルスティック１ａ、１ｂ、１ｃの形状を富士山の形状としてもよい。
【００３２】
メモリスアルスティックは、図２に示すようにキーホルダ状にしてもよい。キーホルダ状にすることによって、さらなる用途が見出され得る。
【００３３】
次に、図３を参照して、本実施の形態におけるシステムについて説明する。
【００３４】
図３に示すように、提供業者が有するデータセンター３は、例えばＷＷＷサーバ４、観光地情報提供サーバ５、操作用端末６を含む。これらは、ＬＡＮ上で相互に接続されており、ＬＡＮは、ＷＷＷサーバ４を介して、インターネット７に接続されている。インターネット７と、顧客の携帯機器２とは、データ通信が可能になっている。
【００３５】
観光地情報提供サーバ５上には、データ記憶装置８が含まれている。このデータ記憶装置８に観光地の情報を提供するためのウエブサイトのデータが保存される。すなわち、観光地Ａ、観光地Ｂ、観光地Ｃ…のウエブサイトのデータが保存される。
【００３６】
顧客の携帯機器２から、上記ウエブサイトにアクセスすることができるようにＷＷＷサーバ４の設定を行う。
【００３７】
インターネット７に接続するためのＷＷＷサーバの機能は、データセンター３の外部のＷＷＷサーバであって、プロバイダが提供するものを使用することにより実現してもよい。また、ＷＷＷサーバ機能、観光地情報提供サーバ機能を１台の端末上で実現させてもよい。また、これらの機能を複数の端末上で実現させてもよい。
【００３８】
上記ウエブサイトのデータを作成、更新する際には、操作端末６を使って、観光地情報提供サーバ５のデータおよびプログラムにアクセスする。データの作成、更新は提供業者が、各観光地の担当者から要求を受けて行う。
【００３９】
ウエブサイトを１箇所で管理できるので、更新が容易であり、各観光地の各店舗が各々でウエブサイトを管理する必要はない。
【００４０】
上記ウエブサイトは、インターネットを通じて、顧客の携帯機器上で表示することができるような形式のデータで作成される。
【００４１】
観光地Ａ用のウエブサイトの内容は、例えば、観光地Ａの名所旧跡を写真と文章で紹介するものである。また、観光地Ａの各店舗ａ店、ｂ店、ｃ店…の要望をできるだけ取り入れたものであることが望ましい。例えば、各店舗が独自のウエブサイトを持っている場合には、観光地Ａ用のウエブサイト上に各店舗のウエブサイトへのリンクを設定してもよい。また、観光地Ａ用のウエブサイトから、各店舗での宿泊、食事などの予約やみやげ品の注文ができるようにしてもよい。さらに、観光地Ａにまつわる音楽データや動画データをダウンロードできるようにしてもよい。
【００４２】
次に、顧客の携帯機器にメモリアルスティックが接続されたときの動作について説明する。
【００４３】
図４は、顧客の携帯機器にメモリアルスティックが接続されたときに行われる処理のフロー図である。図５は、メモリアルスティック内の記憶装置に保存されているプログラムの処理のフロー図である。
【００４４】
図４を参照して、顧客の携帯機器にメモリアルスティックが接続されると、携帯機器内のソフトウエアによって、接続が検知される。メモリアルスティックの接続が検知されると、携帯機器内のソフトウエアは、メモリアルスティック内の記憶装置の内容を読み込み、記憶装置に解読可能なプログラムがあれば、それを実行する。本実施の形態においては、メモリアルスティック内のプログラムは携帯機器のソフトウエアが実行可能なデータ形式で保存されているので、当プログラムの処理が実行される。実行に失敗した場合はエラーメッセージを表示するなどのエラー処理を行う。
【００４５】
図５を参照して、観光地Ａのメモリアルスティックの記憶装置に保存されているプログラムの処理について説明する。携帯機器のソフトウエアに実装されている、インターネットに接続してウエブサイトを表示する機能を有するブラウザプログラムを起動する。ブラウザプログラムに対して、表示するウエブサイトのＵＲＬ（ここでは観光地Ａを紹介するウエブサイトのＵＲＬ）を指定する。以上がメモリアルスティックの記憶装置に保存されているプログラムの処理である。
【００４６】
図６は、上記処理が実行された結果、顧客の携帯機器に表示された画面を示す図である。
【００４７】
本実施の形態によれば、顧客は自分の携帯機器にメモリアルスティックを接続するという動作だけで、訪れた地域のウエブサイトを表示させることができるので、ウエブサイトのＵＲＬを指定するという煩雑な手続きを経ることなく、過去に訪れた観光地の情報を手軽に得ることができる。
【００４８】
なお、上記実施の形態では、地域として観光地を例示したが、この発明はこれに限られるものでなく、その他、人が訪れる地域なら、いずれの場合も、本発明は適用される。例えば、温泉施設、テーマパーク、遊園地、ゴルフ場、スキー場、スケート場、ボーリング場、鍾乳洞、スポーツジム、釣り公園、博覧会場跡、映画館、体験農場、神社、寺などがある。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５０】
【発明の効果】
以上、説明した通り、この発明によれば、顧客は、ウエブサイトのＵＲＬを指定するという煩雑な手続きを経ることなく、訪れた観光地の最新情報を手軽に得ることができる。
【００５１】
また、友人、知人に見聞したことを効果的に伝えることができる。
【図面の簡単な説明】
【図１】本発明の実施の形態にかかる観光地の情報提供方法の手続きの流れの概要図である。
【図２】メモリアルスティックの斜視図である。
【図３】本発明の実施の形態におけるシステムの概念図である。
【図４】顧客の携帯機器にメモリアルスティックが接続されたときに行われる処理のフロー図である。
【図５】メモリアルスティック内の記憶装置に保存されたプログラムのフロー図である。
【図６】本発明の実施の形態において、顧客の携帯機器に表示された画面を示す図である。
【符号の説明】
１ａ、１ｂ、１ｃ  メモリアルスティック
１１  接続端子
【図１】
2004193838.tif 000003
【図２】
2004193838.tif 000004
【図３】
2004193838.tif 000005
【図４】
2004193838.tif 000006
【図５】
2004193838.tif 000007
【図６】
2004193838.tif 000008